(57)【要約】【課題】管楽器の破損を回避することができ、楽器の安定した支持を可能とするサムフックを提供すること。【解決手段】  管楽器本体に取り付け可能なサムフックであって、親指から受けた上方向の力を管楽器本体２００に伝えることで管楽器本体２００を支持する第１ベロ部１０１と、親指の先端部分が管楽器本体２００に触れないように、管楽器本体の外周面に沿って湾曲しつつ延設された第２ベロ部１０２と、を備えたことを特徴とする。【選択図】  図１
2010262076.tif 000002
【特許請求の範囲】
【請求項１】
管楽器本体に取り付け可能なサムフックであって、
親指から受けた上方向の力を前記管楽器本体に伝えることで前記管楽器本体を支持すべく、演奏者側に張出した第１ベロ部と、
親指の先端部分が前記管楽器本体に触れないように、前記管楽器本体の外周面に沿って湾曲しつつ延設された第２ベロ部と、
を備えたことを特徴とするサムフック。
【請求項２】
前記第１ベロ部と前記第２ベロ部とは、滑らかな曲線によって連続することを特徴とする請求項１に記載のサムフック。
【請求項３】
前記サムフックは、更に、取り外し可能なプレートと、該プレートを嵌め込むための溝とを備え、
前記プレートは、管楽器本体に接触するように突出したレール状の突出部を有することを特徴とする請求項１に記載のサムフック。
【請求項４】
前記サムフックは、
第１種類の管楽器本体の構成に合わせた形状の第１のプレートと、
第２種類の管楽器本体の構成に合わせた形状の第２のプレートと、
の両方を嵌め込むことが可能な溝を備えることを特徴とする請求項３に記載のサムフック。
【請求項５】
管楽器本体に取り付け可能なサムフックであって、
親指から受けた上方向の力を前記管楽器本体に伝えることで前記管楽器本体を支持すべく、演奏者側に張出したベロ部と、
取り外し可能なプレートと、
該プレートを嵌め込むための溝とを備え、
前記プレートは、管楽器本体と接触するように突出した突出部を有することを特徴とするサムフック。
【発明の詳細な説明】
【技術分野】
【０００１】
本発明は、たとえばサックスなどの管楽器を親指で支えるために用いられるサムフックに関する。
【背景技術】
【０００２】
従来から、管楽器を親指で支えるために、管楽器の下方に取り付けられるサムフックが知られている。たとえば、特許文献１に開示されているような形状のものが一般的である。演奏者は、自分の親指の形状に応じたカーブを有するサムフックを選び、親指をサムフックに引っかけることによって、たとえばサックスなどの管楽器を支えつつ演奏を行なう。サックスの場合には、ネックストラップも併用するため楽器の全重量を親指一本で支える訳ではないが、演奏時の楽器の位置をコントロールするにあたり、親指およびサムフックは大きな役割を担っている。
【先行技術文献】
【特許文献】
【０００３】
【特許文献１】米国特許１９３７０２５号公報
【発明の概要】
【発明が解決しようとする課題】
【０００４】
しかしながら、従来のサムフックは、特許文献１にあるように、上方に伸び、演奏者側に湾曲した１つのベロを有するのみであった。つまり、親指の中央付近による上方向の力を楽器に伝えるだけの形状であった。この形状の場合、親指の先端側、つまり指先は、楽器に触れることができた。これにより、特に、管体をグッと握って演奏するタイプの演奏者が長年同じ管楽器を使い続けた場合、親指が触れる管体の一部分が、親指との摩耗によって変色したり、窪んだり、あるいは穴が開いたりするという問題が起きていた。管楽器の場合、変形や穴は音色に影響する致命的な破損であり、楽器の交換を余儀なくされる場合があった。
【０００５】
本発明は、上記従来技術の課題を解決するためになされたもので、その目的とするところは、管楽器の破損を回避することができ、楽器の安定した支持を可能とするサムフックを提供することにある。
【課題を解決するための手段】
【０００６】
上記目的を達成するため、本発明の一態様にあっては、
管楽器本体に取り付け可能なサムフックであって、
親指から受けた上方向の力を前記管楽器本体に伝えることで前記管楽器本体を支持すべく、演奏者側に張出した第１ベロ部と、
親指の先端部分が前記管楽器本体に触れないように、前記管楽器本体の外周面に沿って湾曲しつつ延設された第２ベロ部と、
を備えたことを特徴とする。
前記第１ベロ部と前記第２ベロ部とは、滑らかな曲線によって連続することを特徴とする。
前記サムフックは、更に、取り外し可能なプレートと、該プレートを嵌め込むための溝とを備え、
前記プレートは、管楽器本体に接触するように突出したレール状の突出部を有することを特徴とする。
前記サムフックは、
第１種類の管楽器本体の構成に合わせた形状の第１のプレートと、
第２種類の管楽器本体の構成に合わせた形状の第２のプレートと、
の両方を嵌め込むことが可能な溝を備えることを特徴とする。
上記目的を達成するため、本発明の他の態様にあっては、
管楽器本体に取り付け可能なサムフックであって、
親指から受けた上方向の力を前記管楽器本体に伝えることで前記管楽器本体を支持すべく、演奏者側に張出したベロ部と、
取り外し可能なプレートと、
該プレートを嵌め込むための溝とを備え、
前記プレートは、管楽器本体に接触するように突出したレール状の突出部を有することを特徴とする。
【発明の効果】
【０００７】
本発明によれば、管楽器の破損を回避することができ、楽器の安定した支持を可能とするサムフックを提供することができる。
【図面の簡単な説明】
【０００８】
【図１】本発明の実施形態としてのサムフックを取り付けた管体を演奏者が把持している状態を示す図である。
【図２】本発明の実施形態としてのサムフックを取り付けたサックスを示す図である。
【図３】本発明の実施形態としてのサムフックの表側（演奏者側）からみた形状例を示す図である。
【図４】本発明の実施形態としてのサムフックの裏側からみた形状例を示す図である。
【図５】本発明の実施形態としてのサムフックに組み合わせることのできる取替プレートの一例を示す図である。
【図６】本発明の実施形態としてのサムフックの裏側からみた形状例を示す図である。
【図７】本発明の他の実施形態としてのサムフックの裏側からみた形状例を示す図である。
【図８】本発明の他の実施形態としてのサムフックの構成を示す図である。
【発明を実施するための形態】
【０００９】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。なお本実施形態では、管楽器の一例としてサックスを用いて説明するが、本発明はこれに限定されるものではなく、他の管楽器に取り付けられるサムフックにも適用可能である。
【００１０】
図２は、本発明に係るサムフックの一実施形態を適用したサックスの外観を示す図である。サックス本体２００の真ん中よりやや下側においてサムフック１００が演奏者側から取り付けられている。右手の親指をサムフック１００のベロ１０１に引っかけることにより、親指に負担を掛けることなく下側からサックス本体２００を支える。ベロ１０１は、上向きのアールを持っているため、親指の第１関節と第２間接の間に触れた場合に、親指と滑らかに接触し、親指をきづ付けたりしないように考慮されている。サムフック１００は、銀、ブラス、ステンレス、洋白といった材料から形成される。
【００１１】
図１は、本発明の一実施形態のサムフック１００が取り付けられたサックス本体２００を示す図である。ここでは、演奏者がサックス２００を把持している状態を示している。図１（ａ）は、サムフック１００を演奏者正面から（サックスの裏側から）見た図であり、図１（ｂ）は、サムフック１００をサックス本体２００の上側から見た図である。
【００１２】
サムフック１００は、親指から上向きの力を受ける第１のベロ１０１と、親指の先端がサックス本体２００に触れないようにガードする第２のベロ１０２とを備えている。ベロ１０２は、演奏者からみて左側に張り出しており管体との間で間隙を保ちつつ管体の外周面に沿って湾曲した形状を有している。つまり、ベロ１０２は、サックス本体２００とは接触していない。ベロ１０２により、演奏者の親指の先端がサックス本体２００に触れることはなくなり、サックス本体２００の摩耗や変形を防止することができる。また、指とサムフック１００との接触面積が大きくなるため、サックスを安定してしっかりと掴むことができ、ホールド性が向上する。第２のベロ１０２は、薄ければ薄いほどサックスの音色の響きが良くなるが、強度が落ちるため、０．５ｍｍ〜２ｍｍの厚みに形成することが望ましい。なお、ベロ１０１とベロ１０２とは、アール１０３によって滑らかに連続しており、親指が触れた際の感触がやさしくなるように形成されている。
【００１３】
サムフック１００には、その下側部分において、位置決め用の穴１０４が形成されている。サックス本体２００から突き出した凸部２０１が穴１０４に挿入されることにより、サムフック１００の位置をある程度規定する。一方。サムフック１００において、位置決め用の穴１０４の上方にはやや大きなねじ留め用の穴１０５が用意されている。サックス本体２００からは、凸部２０１の上方において、筒状部２０２が突きだしており、筒状部２０２の内側面にはメスねじが切られている。この筒状部２０２を穴１０５に挿入し、ねじ１０６を筒状部２０２に螺合することにより、サムフック１００がサックス本体２００にしっかりと固定される。
【００１４】
図３は、サムフックのみを示す斜視図である。図３（ａ）は図１に対応する実施形態のサムフック１００ａを示し、図３（ｂ）は他の実施形態としてのサムフック１００ｂを示す。サックスのメーカーに応じて、サムフックの取付機構が異なるため、サムフック自体もサックス本体に合わせて異なる形状にする必要がある。例えば図３（ａ）のサムフック１００ａは、図１にて説明した通り、位置決め用の穴１０４とねじ挿入用の穴１０５とを備えている。一方、図３（ｂ）に表わされたサムフック１００ｂは、位置決めとねじ固定の両方の機能を兼ね備えた一つのうちわ形状の穴１０６を備えている。穴１０６の下側に延びた下方スリット１０６ａに、サックス本体２００に設けられた位置決め用の突出部（不図示）を嵌め込み、スリット１０６ａの上側部分１０６ｂにおいてねじ留めを行なう。
【００１５】
図３（ａ）、（ｂ）に示されたサムフック１００ａ、ｂは、ベロ１０２の形状も異なっているが、これはサムフックの取付機構に関連して変更されたものではない。そもそも演奏者の指の長さや太さ、それに伴う好みに合わせたサムフックが用意されており、ユーザにより選択可能となっている。ベロ１０２の形状も、大きく張り出したものや、縦方向に大きなものなど、様々なものが提案されうる。
【００１６】
図４は、図３（ａ）に示した実施形態のサムフック１００ａの裏側の構成を示す図である。サムフック１００ａの裏側には、ホームベース形状の溝１０７が形成されている。そして、その溝１０７に嵌る薄板のプレート１０８が用意されている。プレート１０８は、木、銀、ブラス、ステンレス、洋白といった材料からなる薄板であり、サムフック本体側に設けられた穴１０４、１０５と同形状の、位置決め用の穴１０９及びねじ留め用の穴１１０を備えている。
【００１７】
更に、プレート１０８の表面には、レール１１１ａ〜ｃが設けられており、サムフック１００を固定する際には、このレール１１１ａ〜ｃがサックス本体２００と接触する。このようにレール１１１ａ〜ｃを設けたことにより、サムフック１００と管体との接触面積が小さくなり、サックス本体２００の響きを損なわずに伸びやかな音色を実現することができる。また、プレート１０８の材質やレール１１１の形状、数、配置を変えることにより、様々な音色を実現することができる。すなわち、演奏者は、サムフック本体を変更しなくても、プレート１０８を変更するだけで、好みの音色を追求することができる。サムフック本体０を親指の形状などに合わせて選び、その上で曲や気分に合わせてプレート１０８を自由に変更することが可能となる。これにより演奏者にとって非常に使い勝手のよいサムフックを実現できる。
【００１８】
図５は、プレート１０８の形状を詳細に示す図であり、図５（ａ）は平面図、図５（ｂ）は、図５（ａ）のＡ−Ａ断面図である。ここでは、レール１１１の高さは、プレート１０８自体の厚みと同じく０．５〜１ｍｍ程度であるが、本発明はこれに限定されるものではない。
【００１９】
図６は、図３（ｂ）に示した他の実施形態のサムフック１００ｂの裏側の構成を示す図である。このタイプのサムフック１００ｂでも、図４に示したサムフック１００ａと同様に、裏側に、ホームベース形状の溝１１２が掘られている。そして、その溝１１２に嵌る薄板のプレート１１３が用意されている。プレート１１３は、やはり、木、銀、ブラス、ステンレス、洋白といった材料からなる薄板であり、サムフック本体に設けられた穴１０６と同形状の、位置決め用及びねじ留め用の穴１１４を備えている。
【００２０】
更に、プレート１１３の表面にも、レール１１５ａ〜ｄが設けられており、サムフック１００ｂを固定する際には、このレール１１５ａ〜ｄがサックス本体２００と接触する。このようにレール１１５ａ〜ｄを設けたことにより、サムフック１００ｂと管体との接触面積が小さくなり、サックス本体２００の響きを損なわずに伸びやかな音色を実現することができる。また、プレート１１３の材質やレール１１５ａ〜ｄの形状、数、配置を様々に変えることにより、様々な音色を実現することができる。すなわち、演奏者は、サムフック本体を変更しなくても、プレート１０８を変更するだけで、好みの音色を追求することができる。サムフック本体０を親指の形状などに合わせて選び、その上で曲や気分に合わせてプレート１０８を自由に変更することが可能となる。これにより演奏者にとって非常に使い勝手のよいサムフックを実現できる。
【００２１】
（他の実施形態）
図７及び図８は、本発明に係る他の実施形態としてのサムフック３００を示す図である。図７（ａ）は、サムフック３００の裏側、つまり管体側の面を示す図である。図７（ｂ）は、図７（ａ）のＡ−Ａ断面図である。図７（ｃ）は、サムフック３００に組み合わされるプレート３０１の平面図を示し、図７（ｄ）は、図７（ｃ）のＢ−Ｂ断面図である。更に、図７（ｅ）は、サムフック３００に組み合わされる他のプレート３０２の平面図を示し、図７（ｆ）は、図７（ｅ）のＣ−Ｃ断面図である。図７（ｇ）は、プレート３０１、３０２をサムフック３００に取り付けるために用いられるワッシャ３０３を示す。
【００２２】
本実施形態に係るサムフック３００は、サックス本体２００のメーカーに因らず、共通の形状となっている。これに対し、プレート３０１、３０２は、サックス本体２００のメーカーに応じた形状の穴を有しており、いずれもサムフック３００に組合せ可能となっている。
【００２３】
図８は、サムフック３００とプレート３０１、３０２をサックス本体２００に取り付ける行程を示す図である。
【００２４】
このような構成により、演奏者は、１つのサムフック３００に対して、プレート３０１、３０２を自由に組み合わせることにより、自分の指にあった１つのサムフック３００を、異なるメーカーのサックス本体のいずれにも使用ことができる。したがって、異なるメーカーのサックスに対しても同じフィーリングで演奏を行なうことができる。
【図１】
2010262076.tif 000003
【図２】
2010262076.tif 000004
【図３】
2010262076.tif 000005
【図４】
2010262076.tif 000006
【図５】
2010262076.tif 000007
【図６】
2010262076.tif 000008
【図７】
2010262076.tif 000009
【図８】
2010262076.tif 000010
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
管楽器本体に取り付け可能なサムフックであって、
親指から受けた上方向の力を前記管楽器本体に伝えることで前記管楽器本体を支持すべく、演奏者側に張出した第１ベロ部と、
親指の先端部分が前記管楽器本体に触れないように、前記管楽器本体の外周面との間で間隙を保ちつつ、該外周面に沿って湾曲しつつ延設された第２ベロ部と、
を備えたことを特徴とするサムフック。
【請求項２】
前記第１ベロ部と前記第２ベロ部とは、滑らかな曲線によって連続することを特徴とする請求項１に記載のサムフック。
【手続補正２】
【補正対象書類名】明細書
【補正対象項目名】０００６
【補正方法】変更
【補正の内容】
【０００６】
上記目的を達成するため、本発明の一態様にあっては、
管楽器本体に取り付け可能なサムフックであって、
親指から受けた上方向の力を前記管楽器本体に伝えることで前記管楽器本体を支持すべく、演奏者側に張出した第１ベロ部と、
親指の先端部分が前記管楽器本体に触れないように、前記管楽器本体の外周面との間で間隙を保ちつつ、該外周面に沿って湾曲しつつ延設された第２ベロ部と、
を備えたことを特徴とする。
前記第１ベロ部と前記第２ベロ部とは、滑らかな曲線によって連続することを特徴とする。